(57)【要約】【課題】  弾球遊技機において、配線電極を板ガラス等の透明板に配設した際の視認性を良好にする。【解決手段】  板ガラス５ｂの表面に透明な配線電極１４を積層し、配線電極１４の無い部分全域に配線電極１４と同じ透過率と反射率の透明な絶縁物１７ａ（例えばＳｉＯ2とＴｉＯ2の多層膜）をパターン形成し、更に配線電極１４及び透明な絶縁物１７ａ上に透明な絶縁物１７ｂを形成する。配線電極１４の有る部分と無い部分との透過率及び反射率が同等になるので、配線電極１４が遊技者にとって見えなくなり、板ガラス５ｂの背面にある遊技球６や遊技盤１等の視認性が向上される。【選択図】  図５
2005230180.tif 000002
【特許請求の範囲】
【請求項１】
遊技盤と、該遊技盤の前方に配される透明板と、該透明板に取り付けられた透明な装置とを備える弾球遊技機において、
前記透明な装置への電気信号又は該透明な装置からの電気信号を伝送する配線電極が前記透明板の表面に積層され、
該配線電極上に絶縁層が積層されている
ことを特徴とする弾球遊技機。
【請求項２】
請求項１記載の弾球遊技機において、
前記配線電極間に電極間絶縁層を設けたことを特徴とする弾球遊技機。
【請求項３】
請求項１又は２記載の弾球遊技機において、
少なくとも遊技者に視認される範囲では前記配線電極及び前記絶縁層は透明であることを特徴とする弾球遊技機。
【請求項４】
請求項１、２又は３記載の弾球遊技機において、
少なくとも遊技者に視認される範囲では前記配線電極部分の透過率と前記配線電極間の透過率とを同等にしたことを特徴とする弾球遊技機。
【請求項５】
請求項４記載の弾球遊技機において、
前記透過率が同等にされている両部分の反射率を同等にしたことを特徴とする弾球遊技機。
【請求項６】
請求項１から５のいずれか１項に記載の弾球遊技機において、
前記透明な装置は透過型表示器であることを特徴とする弾球遊技機。
【発明の詳細な説明】
【技術分野】
【０００１】
この発明は、パチンコ機等の弾球遊技機の技術分野に属する。
【背景技術】
【０００２】
特開２００１−２４６０９７号公報（特許文献１）には、遊技盤の前面に配設された２枚の板ガラスの中央部分に可変表示器が配設され、奥側の板ガラスの表面に固着された透視ケーブルにて表示用の電気信号を伝送する構成が開示されている。
【０００３】
この特許文献１に開示された弾球遊技機は可変表示器を装備しつつ、遊技球の落下経路が可変表示器によって制限されることを少なくしていることが特徴である。
【特許文献１】特開２００１−２４６０９７号公報（段落０００９、図２、図３）
【発明の開示】
【発明が解決しようとする課題】
【０００４】
しかし、上記従来の弾球遊技機においては、透視ケーブルが遊技者から目視できる領域に固着されているので、ケーブルの厚みによる存在感が気になったり、透視ケーブルといえども透過率が他の部分と異なるから透明感が損なわれたりして、遊技者にとって背面に位置する遊技球や遊技盤等の視認性の妨げになっている。
【０００５】
そこで、遊技球や遊技盤等の視認性を妨げないようにする為に、板ガラス上に配線電極を配設して、可変表示器と電気的に導通させる構造が望ましいが、上記配線電極が露出したままであると、外部からの導電異物が配線電極上に付着または接触して、ショートや回路が破壊してしまう問題がある。
【０００６】
本発明は、上記問題を鑑みてなされたものであり、配線電極を板ガラス等の透明板に配設した際に視認性を妨げることなく、外部からの接触などによる不具合を防ぐ構造を持つ弾球遊技機を提供するものである。
【課題を解決するための手段】
【０００７】
上記目的を達成するため、請求項１の弾球遊技機は、遊技盤と、該遊技盤の前方に配される透明板と、該透明板に取り付けられた透明な装置とを備える弾球遊技機において、前記透明な装置への電気信号又は該透明な装置からの電気信号を伝送する配線電極が前記透明板の表面に積層され、該配線電極上に絶縁層が積層されていることを特徴とする。
【０００８】
配線電極上に絶縁層を積層したことにより配線電極が露出状態でなくなるから、例えば金属、水分、導電性の繊維などの導電異物が電極上に付着したり接触したりして、配線電極間でショートを引き起こし、装置を誤作動させたり、回路を破壊したりするのを防止できる。
【０００９】
さらに、配線電極が配設された透明板の取り扱い時（遊技盤の前面に設置する際や清掃作業時など）に配線電極にキズをつけて、通電不良などになることも防止できる。
なお、透明板は板ガラスが用いられるのが普通であるが、例えばアクリル樹脂等の透明な合成樹脂製にしてもよい。
【００１０】
透明な装置の透明板への取り付け手法には特段の限定はなく、例えば接着によって行われればよい。
また、２枚の透明板が用いられるのが普通であるが、透明な装置は、そのどちらの透明板に取り付けられてもよい。
【００１１】
透明な装置としては、請求項６に記載の透過型表示器や透明なタッチパネル等が例示されるが、該装置の構造や種類等に特段の限定は無い。なお、透過型表示器の場合、ＥＬ（エレクトロルミネッセンス）表示器が、透明性に優れており、しかも自発光するのでバックライトは不要であるから、本発明に好適である。
【００１２】
請求項２記載の弾球遊技機は、請求項１記載の弾球遊技機において、前記配線電極間に電極間絶縁層を設けたから、上述の導電異物による配線電極間のショートや配線電極の損傷をより確実に防止できる。
【００１３】
ところで、遊技者から目視できる領域に配線電極が配設されていると、電極上に形成される絶縁層も当然遊技者から目視されることになる。遊技球や遊技盤等の前方に位置している配線電極及び絶縁層が、遊技球や遊技盤等の視認性を低下させるのは好ましくない。
【００１４】
従って、請求項３記載のように、請求項１又は２記載の弾球遊技機において、少なくとも遊技者に視認される範囲では前記配線電極及び前記絶縁層は透明である構成とすれば、遊技球や遊技盤等の視認性が低下するのを防止できる。請求項２の電極間絶縁層を設ける場合は、これも透明にすればよい。
【００１５】
しかしながら、単に配線電極と絶縁層を（更に電極間絶縁層も）透明にしただけで、配線電極部分（配線電極とその上の絶縁層からなる部分）と配線電極間とで透過率が異なると、配線電極の配線パターンが気になり、背面に位置する遊技球や遊技盤等の視認性の低下を引き起こすおそれもある。
【００１６】
これを避けるには、請求項４記載のように、請求項１、２又は３記載の弾球遊技機において、少なくとも遊技者に視認される範囲では前記配線電極部分の透過率と前記配線電極間の透過率とを同等にすればよい。
【００１７】
具体的には、配線電極と絶縁層とを総合した透過率と同等の透過率の電極間絶縁層を設けるとか、配線電極の透過率と同等の透過率の電極間絶縁層を設けて、それら配線電極及び電極間絶縁層上に絶縁層を積層するとかすればよい。
【００１８】
配線電極部分の透過率と配線電極間の透過率とを同等にすれば、すなわち配線電極が設けられている領域では透過率が同等になるから、透過率の差によって配線電極の背後に位置する遊技球や遊技盤等の視認性の低下を引き起こすおそれはなくなる。この場合、配線電極が設けられている領域に限定せずに、透明板の遊技者に視認される部分全域で或いは透明板全体で透過率を同等にしてもよい。
【００１９】
なお、「透過率を同等にする」といっても数学的に等しくすることまでは要さない（勿論、そのようにすれば最善であるから、これを除外するものではない。）。上述したことから明らかなように、遊技者が違和感を感じない範囲であれば透過率に差があっても問題はない。
【００２０】
ところで、透過率を上記のように同等にしても反射率の問題が残る。つまり、配線電極部分（配線電極とその上の絶縁層からなる部分）と配線電極間とで反射率が異なると、この場合も配線電極の配線パターンが気になり、背面に位置する遊技球や遊技盤等の視認性の低下を引き起こすおそれもある。
【００２１】
反射率も考慮した場合は、請求項５の構成、すなわち請求項４記載の弾球遊技機において、前記透過率が同等にされている両部分の反射率を同等にした構成を採用するとよい。
配線電極部分と配線電極間とで透過率及び反射率を同等にするから、透過率の差による視認性の低下だけでなく、反射率の差による視認性の低下も防止でき、きわめて良好な視認性を確保できる。
【００２２】
この場合も、配線電極が設けられている領域に限定せずに、透明板の遊技者に視認される部分全域で或いは透明板全体で透過率及び反射率を同等にしてもよい。
また、「反射率を同等にする」とは、上述の透過率の場合と同様に数学的に等しくすることまでは要さず、遊技者が違和感を感じない範囲であれば反射率に差があっても問題はない。
【００２３】
請求項６記載の弾球遊技機は、請求項１から５のいずれか１項に記載の弾球遊技機において、前記透明な装置は透過型表示器であるから、上述したとおり本発明に好適である。
【発明を実施するための最良の形態】
【００２４】
次に、本発明のいくつかの実施例により最良の実施形態を説明する。なお、本発明は以下の具体的な例に限定されるわけではない。
［実施例１］
本発明の第１実施形態について図１〜３を用いて説明する。図１は本発明の弾球遊技機の１種であるパチンコ機の要部（遊技盤）の正面概要図であり、図２は同部分の断面概要図、図３は図２の透過型表示器と板ガラスの配線電極との導電接続部の拡大図である。尚、図示しない部分（説明も省略）はすべて公知技術に従っている。
【００２５】
遊技盤１には障害釘２や入賞口３（図示は１つだけであるが、アタッカー式の大入賞口やチューリップ式の可変入賞口等もある。）などが装着されており、その前面側（遊技者側）にはガラス枠４に保持された板ガラス５ａ、５ｂが配されている。ガラス枠４は図示しない前面枠に軸支されていて扉状に開閉できるが、図１、２はガラス枠４を閉じた状態を示している。この状態では、遊技盤１と遊技盤１側の板ガラス５ｂとの間に、遊技領域となって遊技球６を流下させる空間が確保されている。
【００２６】
内側の板ガラス５ｂには板ガラス５ｂよりも小さい透明ＥＬディスプレイ７（透過型表示器に該当）が遊技者から見て手前側に貼り合わされていて、透明ＥＬディスプレイ７の端部も遊技者から視認できる位置にある。この位置に透明ＥＬディスプレイ７を貼り合せすることで、遊技球６と大当たり等の識別表示を示す可変表示器である上記透明ＥＬディスプレイ７とが接触することが無くなるので、遊技球６の落下経路の自由度が増え、透明ＥＬディスプレイ７の割れ等の破損も無くなる。
【００２７】
ここで、本実施形態における透明ＥＬディスプレイ７の構造を拡大断面図である図３により説明する。
透明ＥＬディスプレイ７はガラス基板８とその上に順次薄膜として積層された、第１電極９、第１絶縁膜１０、発光層１１、第２絶縁膜１２、および第２電極１３より形成されている。ここで、上記第１電極９〜第２電極１３の膜は総膜厚でおよそ２μｍぐらいの非常に薄い膜である。
【００２８】
第１電極９と第２電極１３はストライプ状で互いに直交しており、例えばＩＴＯ膜にて構成されている。この第１電極９と第２電極１３とが直交した部分が、第１電極９、第２電極１３の膜間に挟まれている第１絶縁膜１０、第２絶縁膜１２および発光層１１とともに画素を構成しており、第１電極９、第２電極１３間に電圧を印加することで、この画素が発光可能となっている。
【００２９】
発光層１１は例えば、ＺｎＳ等の半導体材料にて構成されており、発光中心としては、Ｍｎ、Ｔｂ、Ｓｍ等を用いることができる。尚、発光中心にＭｎを用いた場合では黄橙色、Ｔｂを用いた場合では緑色、Ｓｍを用いた場合では赤色の発光を生じる。また、第１絶縁膜１０および第２絶縁膜１２はＴｉＯ2、Ａｌ2Ｏ3、ＳｉＯ2、Ｓｉ3Ｎ4等の誘電体により構成されている。
【００３０】
透明ＥＬディスプレイ７を構成するガラス基板８、第１電極９〜第２電極１３の各薄膜は全てほぼ透明であるので、この透明ＥＬディスプレイ７は透過型の可変表示器と言うことができる。
【００３１】
図１に示されるとおり、透明ＥＬディスプレイ７は遊技盤１の前方に配設されているが、上述したとおり全体がほぼ透明な透過型表示器であるから、従来一般の弾球遊技機に可変表示器として使用されている液晶ディスプレイと比較すると、偏光板やカラーフィルタが必要でない為、透過率が高い表示器である。よって、遊技盤１等の視認性を低下させることがより一層なく、遊技者は透明ＥＬディスプレイ７の背後における遊技球６の挙動や役物等の動作を良好に視認できる。
【００３２】
また、従来一般の弾球遊技機では遊技盤１に（通常は遊技盤１の表面よりも奥まった位置に）可変表示器が配置されているが、図２に示されるとおり、透明ＥＬディスプレイ７は遊技盤１よりも前方に置かれていて、従来一般の弾球遊技機に比べ、より迫力のある可変表示が可能である。
【００３３】
一方、図３に示されるとおり、板ガラス５ｂには透明ＥＬディスプレイ７の第１電極９および第２電極１３と導通するように例えばＩＴＯ膜の配線電極１４が配設されている。
透明ＥＬディスプレイ７は透明な接着剤１５によって板ガラス５ｂに接着されており、透明ＥＬディスプレイ７の第１電極９および第２電極１３と板ガラス５ｂの配線電極１４とは透明な接着剤１５に混入された導電粒子１６（樹脂粒子にＡｕメッキを施したもの。例えば積水化学工業社製のミクロパールＡｕ）によって電気的な導通が確保されている（図３では第１電極９と配線電極１４の導通状態のみを図示）。つまり、透明ＥＬディスプレイ７は表示領域となるユニットであり、これを板ガラス５ｂに接着することで第１電極９および第２電極１３と配線電極１４とを電気的に接続させている。
【００３４】
図１に示されるとおり、配線電極１４は板ガラス５ｂ上を引き回されて上辺に集中させられている。そして、図２に示すように、ガラス枠４の中でフレキシブル回路基板１９（ＦＰＣ）等により、透明ＥＬディスプレイ７を駆動するための集積回路が搭載された回路基板１８と電気的に接続されている。つまり、ガラス枠４の中に配線電極１４とＦＰＣ１９の接続部が配設されており、この接続部は遊技者から見えないから透明ＥＬディスプレイ７の透明性を生かした弾球遊技機となっている。また、ＦＰＣ１９は遊技領域から外れた場所に配置されているので、ＦＰＣ１９が遊技球６の通路を制限することがなく、遊技領域を有効に使用できる。また配線電極１４を板ガラス５ｂの上辺に集中させてＦＰＣ１９と接続する構成であるから、接続部を１箇所にしてＦＰＣ１９の配線量を低減できる。尚、ＦＰＣ１９と回路基板１８は異方性導電接着剤（ＡＣＦ）等によって電気的に接続されている。
【００３５】
このように配線電極１４を板ガラス５ｂ上に配設することで、透明ＥＬディスプレイ７の第１電極９および第２電極１３をガラス枠４の中まで配設しなくても良く、表示領域のみを有するだけで良いので透明ＥＬディスプレイ７は小さくできる。これにより、透明ＥＬディスプレイ７の生産能力低下や歩留まり低下といったコストアップ要因は無くなり、安価な表示器を提供することが可能となる。
【００３６】
ここで、この配線電極１４を少なくとも含む領域上に本実施例の特徴である透明な絶縁物１７（絶縁層に該当）が積層形成されている。透明な絶縁物１７は例えば、シリコーン樹脂やエポキシ樹脂などの樹脂を塗布しても良いし、ＳｉＯ2やＴｉＯ2などを成膜しても良い。
【００３７】
こうすることにより、配線電極１４が露出状態ではなくなり、金属、水分、導電性の繊維などの導電異物が電極上に付着したり接触したりして、配線電極１４間でショートを引き起こし、誤表示を発生させたり、透明ＥＬディスプレイ７を駆動するための回路基板１８を破壊したりする問題を防ぐことが可能となる。
【００３８】
さらに、配線電極１４が配設された板ガラス５ｂの取り扱い時（ガラス枠４への装着作業や清掃作業などにおいて）に配線電極１４にキズをつけて、通電不良などになることを防ぐことが可能である。
【００３９】
遊技者から目視できる領域に配線電極１４が配設されていると、配線電極１４上に形成される絶縁物１７も当然遊技者から目視されることになる。よって、絶縁物１７は遊技者が目視する遊技球６や遊技盤１等の前方に位置しているので、遊技球６や遊技盤１等の視認性を低下させることがないように上に例示したような透明な材料にて形成している。
【００４０】
尚、本実施形態では透明ＥＬディスプレイ７は透明な接着剤１５により内側の板ガラス５ｂに接着されているが、外側の板ガラス５ａの内側面に接着しても良い。ただし、その場合には配線電極１４を板ガラス５ａの内側面に配設して、透明ＥＬディスプレイ７の第１電極９および第２電極１３と配線電極１４とが導通するように接着しなくてはならないのは言うまでもない。
【００４１】
［実施例２］
上記実施例１によれば、透明な絶縁物１７を形成することで背面に位置する遊技球６や遊技盤１等の視認性の低下はほぼ無くなる。しかし、板ガラス５ｂには配線電極１４と配線電極が無い部分とがあり、各々透過率や反射率が異なる為、配線電極１４の配線パターンが気になり、背面に位置する遊技球６や遊技盤１等の視認性の低下を引き起こすこともある。特に配線電極１４がＡｌ膜であった場合には、透明な電極ではないので、配線電極１４の背面に位置する遊技球６や遊技盤１等は見えなくなり、更に配線電極１４は反射率も高いので遊技者は非常に気になる。
【００４２】
そこで、本実施例の弾球遊技機は配線電極１４が透明であり、且つ、図４、５に示すように、配線電極１４と配線電極の無い部分が同じ透過率と反射率になるように透明な絶縁物１７（後述の１７ａ〜１７ｂのいずれか）を形成している。
【００４３】
その詳細構造を図５により説明する。
まず配線電極１４は例えばＩＴＯ膜による透明電極である。これを透明にすることで、背面に位置する遊技球６と遊技盤１等の視認性が向上することは言うまでもない。配線電極１４は、実施例１（図１、２参照）と同様に、板ガラス５ｂ上を引き回されて上辺に集中させられ、ガラス枠４の中でＦＰＣ１９に接続されることで、回路基板１８と電気的に接続されている。
【００４４】
次に、板ガラス５ｂの配線電極１４の無い部分に（配線電極１４間及び配線電極１４が引かれていない領域、すなわち配線電極１４が占める部分を除く板ガラス５ｂの全域で）、配線電極１４と同じ透過率と反射率の透明な絶縁物１７ａ（電極間絶縁層に該当）をパターン形成する。例えば配線電極がＩＴＯ膜（屈折率はおよそ１．８５）の場合、透過率と反射率が同等になるように、ＳｉＯ2とＴｉＯ2の混合多層膜を成膜する。ＳｉＯ2（屈折率はおよそ１．４５）とＴｉＯ2（屈折率はおよそ２．３５）の多層膜は、膜厚と層数を変化させることで任意の屈折率が得られ、その結果、任意の透過率や反射率が得られることは周知である。
【００４５】
その後、配線電極１４を保護するために、配線電極１４及び透明な絶縁物１７ａの上に透明な絶縁物１７ｂ（絶縁層に該当）を形成する。この絶縁物１７ｂもＳｉＯ2やＴｉＯ2などを成膜すればよい。或いはシリコーン樹脂やエポキシ樹脂などの樹脂を塗布してもよい。
【００４６】
こうすることで、配線電極１４の有る部分と無い部分との透過率及び反射率が同等になるので、配線電極１４が遊技者にとって見えなくなり（図４に示すように配線電極１４の存在がわからなくなる。）、板ガラス５ｂの背面にある遊技球６や遊技盤１等の視認性が更に向上される。
【００４７】
図５では、配線電極１４の無い部分に透明な絶縁物１７ａを形成し、その後、配線電極１４及び透明な絶縁物１７ａ上に同じく透明な絶縁物１７ｂを形成したが、図６に示すように、配線電極１４の上部にのみ透明な絶縁物１７ｃ（絶縁層に該当）を形成し、配線電極１４の無い部分には、透過率と反射率が、配線電極１４上に透明な絶縁物１７ｃを形成後の透過率、反射率とそれぞれ同等になるように別の透明な絶縁物１７ｄ（電極間絶縁層に該当）を形成しても良い。
［その他］
以上実施例等に従って、本発明の実施の形態を説明したが、本発明はこれらの例に限定されるものではなく、本発明の要旨を逸脱しない範囲でさまざまに実施できることは言うまでもない。
【００４８】
また、実施例では弾球遊技機としてパチンコ機を例示したが、他の形式の弾球遊技機（例えばアレンジボール式パチンコ機やじゃん球遊技機）にも適用可能である。
なお、透明板（板ガラス）に表示器以外の装置（例えばタッチパネル）を装着して、その装置のための配線電極を透明板に積層形成する場合にも本発明を応用できる。つまり、透明板（板ガラス）に配線電極を積層形成する場合には、透明板に装着される透明な装置の種類を問わず本発明を応用できる。
【図面の簡単な説明】
【００４９】
【図１】実施例１のパチンコ機の正面概要図である。
【図２】図１のパチンコ機の断面概要図である。
【図３】図２の透過型表示器と板ガラスの配線電極との導電接続部の拡大図である。
【図４】実施例２のパチンコ機の正面概要図である。
【図５】実施例２の板ガラスの配線電極上に形成した透明な絶縁物の形成状態である（その１）。
【図６】実施例２の板ガラスの配線電極上に形成した透明な絶縁物の形成状態である（その２）。
【符号の説明】
【００５０】
１・・・遊技盤、
３・・・入賞口、
５ａ、５ｂ・・・板ガラス（透明板）、
７・・・透明ＥＬディスプレイ（透明な装置、透過型表示器）、
１４・・・配線電極、
１７・・・絶縁物（絶縁層）、
１７ａ・・・絶縁物（電極間絶縁層）、
１７ｂ・・・絶縁物（絶縁層）、
１７ｃ・・・絶縁物（絶縁層）、
１７ｄ・・・絶縁物（電極間絶縁層）、
１８・・・回路基板、
１９・・・フレキシブル回路基板。
【図１】
2005230180.tif 000003
【図２】
2005230180.tif 000004
【図３】
2005230180.tif 000005
【図４】
2005230180.tif 000006
【図５】
2005230180.tif 000007
【図６】
2005230180.tif 000008